【手続補正書】
【提出日】平成27年10月7日(2015.10.7)
【手続補正１】
【補正対象書類名】特許請求の範囲
【補正対象項目名】全文
【補正方法】変更
【補正の内容】
【特許請求の範囲】
【請求項１】
波面収差を補正する波面補正手段と、
前記波面補正手段に対して光学的に略共役に配置され、被検査物に対して第一の方向に光を走査する第一の走査手段と、
前記波面補正手段に対して光学的に略共役に配置され、前記被検査物に対して前記第一の方向に交差する第二の方向に光を走査する第二の走査手段と、
前記波面補正手段と前記第一の走査手段との間の光路上、および、前記第一の走査手段と前記第二の走査手段との間の光路上に設けられている光学素子と、
を備えることを特徴とする補償光学装置。
【請求項２】
前記波面補正手段は光源から照射された光を反射し、当該波面補正手段で反射された光が、前記光学素子の第一の領域を介して、前記第一の走査手段へ照射され、
前記第一の走査手段で反射された光が、前記光学素子の前記第一の領域とは異なる第二の領域を介して、前記第二の走査手段へ照射される
ことを特徴とする請求項１に記載の補償光学装置。
【請求項３】
前記波面収差を検出する波面検出手段を更に備え、
前記波面検出手段と前記波面補正手段との間の光路上には、前記光学素子が設けられており、
前記波面補正手段は前記被検査物で反射された光を反射し、当該波面補正手段で反射された光が、前記光学素子の前記第一の領域および第二の領域とは異なる第三の領域を介して、前記波面検出手段へ照射される
ことを特徴とする請求項２に記載の補償光学装置。
【請求項４】
前記第一の領域および第三の領域のそれぞれは、前記光学素子の面内における端部領域であり、
前記第二の領域は、前記光学素子の面内における前記端部領域の間に位置する中央部分の領域である
ことを特徴とする請求項３に記載の補償光学装置。
【請求項５】
前記第二の走査手段と前記被検査物との間の光路上に設けられている第二の光学素子を更に備え、
前記第二の走査手段で走査された光が、前記第二の光学素子の第一の領域を介して、前記被検査物へ照射され、
前記被検査物からの光が、前記第二の光学素子の前記第一の領域とは異なる第二の領域を介して、前記第二の走査手段へ照射される
ことを特徴とする請求項１乃至４のいずれか１項に記載の補償光学装置。
【請求項６】
波面収差の第一の成分を補正する第一の波面補正手段と、
前記第一の波面補正手段に対して光学的に略共役に配置され、前記波面収差の前記第一の成分とは異なる第二の成分を補正する第二の波面補正手段と、
前記第一の波面補正手段および第二の波面補正手段に対して光学的に略共役に配置され、被検査物に対して第一の方向に光を走査する走査手段と、
前記第一の波面補正手段と前記第二の波面補正手段との間の光路上、および前記第二の波面補正手段と前記走査手段との間の光路上に設けられている光学素子と、
を備えることを特徴とする補償光学装置。
【請求項７】
前記波面収差を検出する波面検出手段を更に備え、
前記光学素子は、前記波面検出手段と前記第一の波面補正手段との間の光路上に設けられており、
光源から照射された光が、前記光学素子の第一の領域を介して、前記第一の波面補正手段へ照射され、
前記第一の波面補正手段で反射された光が、前記光学素子の前記第一の領域とは異なる第二の領域を介して、前記第二の波面補正手段へ照射され、
前記第二の波面補正手段で反射された光が、前記光学素子の前記第一の領域および第二の領域とは異なる第三の領域を介して、前記走査手段へ照射され、
前記第一の波面補正手段は前記被検査物からの光を反射し、当該第一の波面補正手段で反射された光が、前記光学素子の前記第一の領域を介して、前記波面検出手段へ照射される
ことを特徴とする請求項６に記載の補償光学装置。
【請求項８】
前記第三の領域は、前記光学素子の面内の中央部分の領域であり、
前記第一の領域および第二の領域のそれぞれは、前記光学素子の面内の異なる位置の端部領域であり、
前記中央部分の領域は、前記異なる位置の端部領域の間に位置する
ことを特徴とする請求項７に記載の補償光学装置。
【請求項９】
前記被検査物に対して前記第一の方向に交差する第二の方向に光を走査する第二の走査手段と、
前記第二の走査手段と前記被検査物との間の光路上に設けられている第二の光学素子と、を更に備え、
前記走査手段によって走査された光は、前記第二の光学素子の第一の領域を介して、前記第二の走査手段に照射され、
前記第二の走査手段は、前記走査手段で前記第一の方向に走査された光を前記第二の方向に走査し、前記第二の走査手段によって走査された光が、前記第二の光学素子の前記第一の領域とは異なる第二の領域を介して前記被検査物に照射され、
前記被検査物からの光が、前記第二の光学素子の前記第二の領域を介して、前記第二の走査手段へ照射される
ことを特徴とする請求項６乃至８のいずれか１項に記載の補償光学装置。
【請求項１０】
前記第二の光学素子の面内における前記第二の領域の面積は前記第二の光学素子の前記第一の領域の面積より広い
ことを特徴とする請求項９に記載の補償光学装置。
【請求項１１】
前記光学素子は、レンズまたはミラーであることを特徴とする請求項１乃至１０のいずれか１項に記載の補償光学装置。
【請求項１２】
請求項１乃至１１のいずれか１項に記載の補償光学装置の制御方法であって、
前記補償光学装置により波面収差が補正された被検査物の画像を生成する生成工程を有することを特徴とする補償光学装置の制御方法。
【請求項１３】
請求項１乃至１１のいずれか１項に記載の補償光学装置と、
前記被検査物は被検眼であり、前記補償光学装置により波面収差が補正された前記被検眼の画像を生成する生成手段と、
を有することを特徴とする眼科装置。
【手続補正２】
【補正対象書類名】明細書
【補正対象項目名】発明の名称
【補正方法】変更
【補正の内容】
【発明の名称】補償光学装置、補償光学装置の制御方法および眼科装置
【手続補正３】
【補正対象書類名】明細書
【補正対象項目名】０００１
【補正方法】変更
【補正の内容】
【０００１】
本発明は補償光学装置に関し、特に、波面収差を補正する補償光学装置、補償光学装置の制御方法および補償光学装置を有する眼科装置に関するものである。
【手続補正４】
【補正対象書類名】明細書
【補正対象項目名】０００８
【補正方法】変更
【補正の内容】
【０００８】
上記補償光学系は、凹面ミラーへの照射角を極力小さくするために、光学素子間の距離を比較的長くする必要があるため、光学系が比較的大きなってしまう。本発明の目的は、比較的小型化された補償光学装置、補償光学装置の制御方法および補償光学装置を有する眼科装置を提供することにある。
【手続補正５】
【補正対象書類名】明細書
【補正対象項目名】０００９
【補正方法】変更
【補正の内容】
【０００９】
本発明の一つの側面に係る補償光学装置は、波面収差を補正する波面補正手段と、
前記波面補正手段に対して光学的に略共役に配置され、被検査物に対して第一の方向に光を走査する第一の走査手段と、
前記波面補正手段に対して光学的に略共役に配置され、前記被検査物に対して前記第一の方向に交差する第二の方向に光を走査する第二の走査手段と、
前記波面補正手段と前記第一の走査手段との間の光路上、および、前記第一の走査手段と前記第二の走査手段との間の光路上に設けられている光学素子と、
を備えることを特徴とする。
【手続補正６】
【補正対象書類名】明細書
【補正対象項目名】００１０
【補正方法】変更
【補正の内容】
【００１０】
あるいは、本発明の他の側面に係る補償光学装置は、波面収差の第一の成分を補正する第一の波面補正手段と、
前記第一の波面補正手段に対して光学的に略共役に配置され、前記波面収差の前記第一の成分とは異なる第二の成分を補正する第二の波面補正手段と、
前記第一の波面補正手段および第二の波面補正手段に対して光学的に略共役に配置され、被検査物に対して第一の方向に光を走査する走査手段と、
前記第一の波面補正手段と前記第二の波面補正手段との間の光路上、および前記第二の波面補正手段と前記走査手段との間の光路上に設けられている光学素子と、を備えることを特徴とする。
【手続補正７】
【補正対象書類名】明細書
【補正対象項目名】００１１
【補正方法】変更
【補正の内容】
【００１１】
本発明によれば、コンパクトなサイズで、調整の容易な補償光学装置、補償光学装置の制御方法および係る補償光学装置を有する眼科装置の提供が可能となる。